(57)【要約】【課題】ブラック映像をよりリアルに表示でき、パネルの明室コントラストを向上させ、かつ、輝度が維持されるプラズマディスプレイパネルを提供する。【解決手段】第１、第２電極２０５〜２２０及び誘電体層２３０が形成された前面基板２００と、第３電極２５０が形成された背面基板２４５と、を含んで構成され、誘電体層２３０が、ベース部２３５と、ベース部２３５に形成されたパターン部２４０と、を含むことを特徴とする。【選択図】図２
2008047538.tif 000002
【特許請求の範囲】
【請求項１】
第１、第２電極及び誘電体層が形成された前面基板と、第３電極が形成された背面基板と、を含んで構成され、
前記誘電体層は、ベース部と、該ベース部に形成されたパターン部と、を含むことを特徴とするプラズマディスプレイパネル。
【請求項２】
前記パターン部の屈折率が、前記ベース部の屈折率の０．３倍〜０．９９倍であることを特徴とする請求項１に記載のプラズマディスプレイパネル。
【請求項３】
前記パターン部の屈折率が、前記ベース部の屈折率より大きいことを特徴とする請求項１に記載のプラズマディスプレイパネル。
【請求項４】
前記パターン部の屈折率が、前記ベース部の屈折率の１．０〜１．３倍であることを特徴とする請求項１に記載のプラズマディスプレイパネル。
【請求項５】
前記パターン部は、光吸収粒子を含むことを特徴とする請求項１に記載のプラズマディスプレイパネル。
【請求項６】
前記ベース部は、誘電物質を含むことを特徴とする請求項１に記載のプラズマディスプレイパネル。
【請求項７】
前記パターン部は、黒色のセラミック（ceramics）を含むことを特徴とする請求項１に記載のプラズマディスプレイパネル。
【請求項８】
前記パターン部は、前記背面基板に対面した背面側の面の幅が前面側の面の幅より大きいことを特徴とする請求項１に記載のプラズマディスプレイパネル。
【請求項９】
前記パターン部の背面側の面の幅が、５μｍ〜１５０μｍであることを特徴とする請求項１に記載のプラズマディスプレイパネル。
【請求項１０】
前記パターン部の高さが、３０μｍ〜２５０μｍであることを特徴とする請求項１に記載のプラズマディスプレイパネル。
【請求項１１】
前面基板と、該前面基板上に形成された第１、第２電極と、背面基板と、該背面基板上に形成された第３電極と、を含んで構成され、
前記前面基板は、ベース部と、該ベース部に形成されたパターン部と、を含むことを特徴とするプラズマディスプレイパネル。
【請求項１２】
前記パターン部の屈折率が、前記ベース部の屈折率の０．３倍〜０．９９倍であることを特徴とする請求項１１に記載のプラズマディスプレイパネル。
【請求項１３】
前記パターン部の屈折率が、前記ベース部の屈折率より大きいことを特徴とする請求項１１に記載のプラズマディスプレイパネル。
【請求項１４】
前記パターン部の屈折率が、前記ベース部の屈折率の１．０〜１．３倍の範囲であることを特徴とする請求項１１に記載のプラズマディスプレイパネル。
【請求項１５】
前記パターン部は、光吸収粒子を含むことを特徴とする請求項１１に記載のプラズマディスプレイパネル。
【請求項１６】
前記ベース部は、ガラス材質からなることを特徴とする請求項１１に記載のプラズマディスプレイパネル。
【請求項１７】
前記パターン部は、黒色のセラミック（ceramics）を含むことを特徴とする請求項１１に記載のプラズマディスプレイパネル。
【請求項１８】
前記パターン部は、前記背面基板に対面した背面側の面の幅が前面側の面の幅より大きいことを特徴とする請求項１１に記載のプラズマディスプレイパネル。
【請求項１９】
前記パターン部の前面側の面の幅が、１３０μｍ以下であることを特徴とする請求項１１に記載のプラズマディスプレイパネル。
【請求項２０】
前記パターン部の高さが、３０ｕｍ〜２５０ｕｍであることを特徴とする請求項１１に記載のプラズマディスプレイパネル。
【発明の詳細な説明】
【技術分野】
【０００１】
本発明は、プラズマディスプレイ（Plasm display）装置に関し、特に、外部からプラズマディスプレイパネルに入射する外光を減少させて、黒をよりリアルに表現するための技術に関する。
【背景技術】
【０００２】
一般に、プラズマディスプレイパネル（Plasma Display Panel）は、放電空間に設置された電極に所定の電圧を印加して放電を起こし、ガス放電時に発生するプラズマが蛍光体を励起させることによって、文字又はグラフィックを含む画像を表示する装置であって、大型化、軽量化、平面薄型化が容易であり、上下左右に広い視野角を提供し、フルカラー及び高輝度を具現することができるという長所がある。
【０００３】
従来のプラズマディスプレイパネルにおいては、ブラック（黒）映像を表示するときに、パネルに入射した外光が、パネルの背面板に露出している白色系統の蛍光体によって反射されてパネルの前面から再出射することにより、ブラック映像が明るい系統の暗い色（たとえば濃い紫など）と認知されてしまい、コントラスト（contrast）が低下することが知られている。
【発明の開示】
【発明が解決しようとする課題】
【０００４】
外部からパネルに入射する外光を遮断するために、外光遮断シートをパネルの前面に位置させる技術が現在使われているが、未だ十分ではなく、さらなる黒表示能力の向上が研究されている。本発明は、これに鑑みてなされたもので、その目的は、ブラック映像をよりリアルに表示でき、パネルの明室コントラストを向上させ、かつ、輝度が維持されるプラズマディスプレイパネルを提供することにある。
【課題を解決するための手段】
【０００５】
上記の目的を達成すべく、本発明によるプラズマディスプレイパネルは、第１、第２電極及び誘電体層が形成された前面基板と、第３電極が形成された背面基板と、を含んで構成され、前記誘電体層が、ベース部と、該ベース部に形成された（外光遮断のための）パターン部と、を含むことを特徴とする。
【０００６】
好ましくは、前記パターン部の屈折率は、前記ベース部の屈折率の０．３倍〜０．９９倍の範囲であることが好ましい。あるいは、前記パターン部は、光吸収粒子を含むことが好ましい。前記ベース部は、誘電物質を含むことができる。また、前記パターン部は、黒色のセラミック材質を含んだものとすることができる。
【０００７】
また別の形態として、本発明に係る他のプラズマディスプレイパネルは、前面基板と、該前面基板上に形成された第１、第２電極と、前記前面基板上に形成された誘電体層と、背面基板と、該背面基板上に形成された第３電極と、を含んで構成され、前記前面基板は、ベース部と、該ベース部に形成され、前記ベース部より小さい屈折率を有するパターン部と、を含むことを特徴とする。
【０００８】
好ましくは、前記パターン部の屈折率は、前記ベース部の屈折率の０．３倍〜０．９９倍の範囲であることを特徴とする。前記ベース部は、ガラス材質からなるものとすることができる。また、前記パターン部は、黒色のセラミック材質を含むことができる。
【発明の効果】
【０００９】
本発明のプラズマディスプレイパネルによれば、前面基板又はその誘電体層に、外光を吸収して遮断するためのパターンを形成することによって、ブラック映像をよりリアル（黒らしく）に表現することができ、明室コントラストを改善することができる。
【発明を実施するための最良の形態】
【００１０】
以下、本発明の好ましい実施の形態を、添付した図面を参照して詳細に説明する。図１は、本発明に係るプラズマディスプレイパネルの構成について一例を示した分解斜視図である。
【００１１】
図１に示すように、プラズマディスプレイパネルは、前面基板１０上に形成される維持電極対であるスキャン電極１１及びサステイン電極１２、背面基板２０上に形成されるアドレス電極２２を含んでいる。維持電極対１１，１２は、通常、インジウムスズ酸化物（Indium-Tin-Oxide; ITO）で形成された透明電極１１ａ，１２ａとバス電極１１ｂ，１２ｂとを含む。そのバス電極１１ｂ，１２ｂは、銀（Ａｇ）、クロム（Ｃｒ）などの金属又はクロム／銅／クロム（Ｃｒ／Ｃｕ／Ｃｒ）の積層型若しくはクロム／アルミニウム／クロム（Ｃｒ／Ａｌ／Ｃｒ）の積層型で形成し得る。このようなバス電極１１ｂ，１２ｂは、透明電極１１ａ，１２ａ上に形成されて、抵抗の高い透明電極１１ａ，１２ａによる電圧降下を減らす機能を果たす。
【００１２】
なお、他の実施形態によれば、維持電極対１１，１２は、透明電極１１ａ，１２ａとバス電極１１ｂ，１２ｂとの積層構造ではなく、透明電極１１ａ，１２ａなしのバス電極１１ｂ，１２ｂのみの構成とすることもできる。このような構造は、透明電極１１ａ，１２ａを使用しないので、パネルの製造単価を下げることができるという長所がある。このような構造に用いられるバス電極１１ｂ，１２ｂは、上に列挙した材料の他に感光性材料等、多様な材料を用いることが可能である。
【００１３】
スキャン電極１１及びサステイン電極１２の透明電極１１ａ，１２ａとバス電極１１ｂ，１１ｃとの間には、前面基板１０の外から入射する外光を吸収して反射を減らす光遮断の機能と、前面基板１０のピュリティ（Purity）及びコントラストを向上させる機能と、を果たすブラックマトリックス（Black Matrix; BM）１５が配列される。
【００１４】
本実施形態に係るブラックマトリックス１５は、前面基板１０に形成され、隔壁２１と重なる位置に形成される第１ブラックマトリックス１５と、透明電極１１ａ，１２ａとバス電極１１ｂ，１２ｂとの間に積層される第２ブラックマトリックス１１ｃ，１２ｃと、を含むものとすることができる。ここで、第１ブラックマトリックス１５と、ブラック層又はブラック電極層とも呼ばれる第２ブラックマトリックス１１ｃ，１２ｃとは、形成過程で同時形成されて物理的に接続される場合もあるし、同時形成されずに物理的に接続されない場合もある。また、物理的に接続して形成される場合、第１ブラックマトリックス１５と第２ブラックマトリックス１１ｃ，１２ｃとは同じ材質で形成される一方、物理的に分離して形成される場合には、他の材質で形成され得る。
【００１５】
スキャン電極１１とサステイン電極１２とが並列して形成された前面基板１０には、誘電体層１３と保護膜１４とが積層される。誘電体層１３には、放電によって発生した荷電粒子が蓄積され、維持電極対１１，１２を保護する機能を行うことができる。保護膜１４は、ガス放電時に発生した荷電粒子のスパッタリングから誘電体層１３を保護し、２次電子の放出効率を上げるようにする。
【００１６】
外部から入射する外光が再度外部へ反射しないように吸収する一方、パネルの発光で内部から放出される光の量は増加させるためのパターン部が、前面基板１０又は誘電体層１３に形成される。この外光遮断パターンの構造については、図２〜図５を参照して後述する。
【００１７】
背面基板２０のアドレス電極２２は、スキャン電極１１及びサステイン電極１２と交差する方向に形成される。また、アドレス電極２２が形成された背面基板２０上には、誘電体層２４と隔壁２１とが形成される。また、誘電体層２４及び隔壁２１で囲まれた領域の表面には、蛍光体層２３が形成される。隔壁２１は、縦隔壁２１ａと横隔壁２１ｂとが閉鎖型に形成され、放電セルを物理的に区分し、放電により生成された紫外線と可視光が隣接した放電セルに漏れるのを防止する。
【００１８】
他の実施形態として、図１に示す隔壁２１の構造の他にも、多様な形状の隔壁２１の構造も可能である。例えば、縦隔壁２１ａと横隔壁２１ｂとで高さが異なる差別型隔壁構造、縦隔壁２１ａ又は横隔壁２１ｂのうちの少なくとも何れか一つに排気通路として使用可能なチャネルが形成されたチャネル型隔壁構造、縦隔壁２１ａ又は横隔壁２１ｂのうちの何れか一つ以上に溝（Hollow）が形成された溝型隔壁構造などが可能である。なお、差別型隔壁構造の場合には、横隔壁２１ｂの高さが高いほうが好ましく、チャネル型隔壁構造や溝型隔壁構造の場合には、横隔壁２１ｂにチャネルが形成されるか、又は溝が形成されることが好ましい。
【００１９】
このようなパネルにおいては、Ｒ・Ｇ・Ｂの放電セルそれぞれが同じ線上に配列される形態が可能であるが、他の形態の配列も可能である。例えば、Ｒ・Ｇ・Ｂ放電セルが三角形状に配列されるデルタ（Delta）タイプの配列も可能である。また、放電セルの形状も、四角形状のみだけでなく、五角形、六角形などの多様な多角形状も可能である。
【００２０】
蛍光体層２３は、ガス放電時に発生した紫外線により発光して、赤色（Ｒ）、緑色（Ｇ）又は青色（Ｂ）のうちの何れか一つの可視光を発生する。前面及び背面基板１０，２０と隔壁２１との間に設けられた放電空間には、放電のためのＨｅ＋Ｘｅ、Ｎｅ＋Ｘｅ、Ｈｅ＋Ｎｅ＋Ｘｅなどの不活性混合ガスが注入される。
【００２１】
図１に示すように、本発明に係るプラズマディスプレイパネルの前面には、フィルタ１００が配置されているのが好ましい。フィルタ１００には、ＡＲ（Anti-Reflection）層、ＮＩＲ（Near Infrared）遮蔽層又はＥＭＩ（Electromagnetic Interference）遮蔽層などが付着され得る。
【００２２】
ＡＲ層は、外部から入射する光が反射するのを防止してグレア現象を減少させる。ＮＩＲ遮蔽層は、パネルから放出される近赤外線を遮蔽して、リモコンなどの赤外線を利用して伝達される信号が正常に伝達され得るようにする。ＥＭＩ遮蔽層は、ＥＭＩを遮蔽して、ＥＭＩがパネルから外部に放出されるのを防止する。通常、ＥＭＩ遮蔽層は、導電性を有する物質を利用してメッシュ（Mesh）構造で形成され、円滑な接地のために、画像が表示されない領域のＥＭＩ遮蔽層の非有効表示領域には、導電性物質が全体的に塗布される。
【００２３】
一般的に、外部に存在する光源は、室内や屋外において観察者の頭の上に存在する場合がほとんどである。これによる外光を効果的に遮断してプラズマディスプレイパネルのブラック映像をさらに暗くリアル表現され得るようにするために、前面基板１０又は誘電体層１３に、本発明に係る外光遮断パターンが形成される。
【００２４】
図２は、本発明に係る外光遮断パターンが形成されたプラズマディスプレイパネルの構造について、第１の実施形態を示した断面図であって、前面基板の誘電体層に外光遮断のパターン部が形成されたものである。
【００２５】
図２に示すように、前面基板２００上には、スキャン電極とサステイン電極が形成されており、これら電極それぞれが、ＩＴＯ透明電極２０５，２１０及びバス電極２１５，２２０を含んでいる。また、背面基板２４５上には、アドレス電極２５０、誘電体層２５５、複数の放電セルを区画する隔壁２６０，２６５及び蛍光体層２７０が形成されている。
【００２６】
そして、前面基板２００の誘電体層２３０は、誘電物質からなるベース部２３５と、外光遮断のパターン部２４０と、を含んで構成されている。外光吸収効果を増加させるために、パターン部２４０は、黒色のセラミック材質からなることが好ましい。図２のパターン部２４０は断面が三角形状であるが、その他の様々な形態が可能である。パターン部２４０の可能な形態については、図５Ａ〜図５Ｆを参照して後述する。なお、符号２７５は保護膜である。
【００２７】
このようなパターン部２４０を誘電体層２３０に形成する方法には、印刷法又はラミネート（laminating）法、例えばグリーンシートラミネート（green sheet laminating）法などがあり得る。
【００２８】
図３は、本発明に係る外光遮断パターンが形成されたプラズマディスプレイパネルの構造について、第２の実施形態を示した断面図であって、前面基板に外光遮断のパターン部が形成されたものである。
【００２９】
図３に示すように、前面基板３００上には、スキャン電極とサステイン電極が形成されており、これら電極それぞれが、ＩＴＯ透明電極３１５，３２０及びバス電極３２５，３３０を含んでいる。また、背面基板３４５上には、アドレス電極３５０、誘電体層３５５、複数の放電セルを区画する隔壁３６０，３６５及び蛍光体層３７０が形成されている。
【００３０】
そして、前面基板３００は、ガラス材質のベース部３０５と、外光遮断のパターン部３１０と、を含んで構成されている。外光吸収効果を増加させるために、パターン部３１０は、黒色のセラミック材質からなることが好ましい。パターン部３１０は、ガラス材質の前面基板３００にエッチングをかけ、黒色の有機物又は無機物を充填することにより形成することができる。なお、符号３４０は保護膜である。
【００３１】
図４Ａ及び図４Ｂは、本発明に係る外光遮断パターンの構造に対して詳細を例示した図である。ベース部４００は、パターン部４１０が誘電体層に形成される場合には誘電物質を含み、前面基板に形成される場合にはガラス材質からなる。
【００３２】
図４Ａに示すように、パターン部４１０の形状は、断面三角形又はその他の様々な形状とすることができる。パターン部４１０は、ベース部４００より暗い色の物質で形成され、好ましくは、黒色の物質とすることができる。例えば、パターン部４１０は、黒色のセラミック材質又はカーボン系の物質で形成したり、あるいは、黒色の染料を塗布して外光を吸収する効果を極大化する。
【００３３】
また、パターン部４１０は、光吸収粒子４２０を含んだものとすることができ、その光吸収粒子４２０は、特定色で着色された樹脂粒子であり得る。光吸収効果を最大化するために、光吸収粒子４２０は、黒色で着色されることが好ましい。光吸収粒子４２０の製造及びパターン部４１０への内部添加を容易とし、外光を吸収する効果を最大化するために、光吸収粒子４２０の大きさは、１μｍ以上であることが好ましい。また、光吸収粒子４２０の大きさが１μｍ以上の場合、パターン部４１０内に屈折する外光を効果的に吸収するために、パターン部４１０は、光吸収粒子４２０を１０重量％以上含むことが好ましい。すなわち、パターン部４１０の全体重量の１０％以上の重量の光吸収粒子４２０がパターン部４１０に含まれることが好ましい。
【００３４】
図４Ａに示すように、光吸収粒子４２０の形状は球状であり得、この場合、光吸収粒子４２０の直径は１μｍ以上であることが好ましい。一方、製造工程上又は他の目的に応じて、光吸収粒子４２０の形状は球状の他に様々な形状とすることもできる。この場合、光吸収粒子４２０に外接又は内接する円の直径は、１μｍ以上であることが好ましい。
【００３５】
パターン部４１０の屈折率、少なくともパターン部４１０の傾斜面の屈折率は、ベース部４００の屈折率より小さい。プラズマディスプレイパネルの明室コントラストを低下させる外光は、観察者の頭の上に存在する光源から発せられている場合が多い。図４Ａに示すように、スネル（snell）の法則により、外部からパネルに斜めに入射する外光（点線で表示）は、ベース部４００より小さな屈折率を有するパターン部４１０の内部に屈折して吸収される。パターン部４１０の内部に屈折する外光は、光吸収粒子４２０により吸収され得る。
【００３６】
一方、映像表示のためにパネルから外部へ放出される光（実線で表示）は、パターン部４１０の傾斜面で全反射され、観察者側の外部へ出射される。このように、外光（点線で表示）がパターン部４１０の内部に屈折して吸収され、パネルから放出される光（実線で表示）がパターン部４１０の傾斜面で全反射する理由は、図４Ａに示すように、パネルから発せられた光よりも外光の方が、パターン部４１０の傾斜面となす角が大きいためである。よって、本発明に係る外光遮断パターンは、外光が観察者側に反射されないように吸収する一方、パネルから放出される光の量を高めることによって、ディスプレイ映像の明室コントラストを向上させる。
【００３７】
パネルに入射する外光の一般的な角度を考慮して外光の吸収及びパネル光の全反射の両立を最大化するためには、パターン部４１０の屈折率を、ベース部４００の屈折率の０．３倍〜０．９９倍の範囲とすることが好ましい。
【００３８】
パターン部４１０の屈折率がベース部４００の屈折率よりも小さい場合、プラズマディスプレイパネルから放出される光は、パターン部４１０の表面により反射され、視聴者に向かって拡散されることになり、ゴースト現象（gohst phenomenon）のような不鮮明なぼやけ映像を生じる可能性がある。そこで、パターン部４１０の屈折率をベース部４００の屈折率よりも大きくして、外からパネルへ入射する外光とパネルから放出される光の両方をパターン部４１０に吸収させ、ゴースト現象発生の可能性を抑えることが考えられる。可能な限り多くのパネル光を吸収してゴースト現象を抑制するためには、パターン部４１０の屈折率は０．０５とするか、又はベース部４００の屈折率よりも大きくし得る。
【００３９】
パターン部４１０の屈折率がベース部４００の屈折率よりも大きい場合、外光遮断層（外光遮断パターンの形成層）の透過率とコントラストは減少し得る。ゴースト現象を抑制しながらも、外光遮断層の透過率とコントラストは落とさないようにするために、パターン部４１０の屈折率はベース部４００の屈折率の０．０５〜０．３倍高とし得る。また、ゴースト現象を抑制しながらもプラズマディスプレイパネルのコントラストを均一に維持するために、パターン部４１０の屈折率は、ベース部４００の屈折率の１．０〜１．３倍とし得る。
【００４０】
本形態に係るベース部４００の厚さＴは、２０μｍ〜２５０μｍの範囲であることが好ましく、これによると、製造工程が容易であり、適切な透光率を有することができる。さらに好ましくは、パネルから放出される光が円滑に透過し、且つ外部から入射する光が屈折してパターン部４１０の内部に効果的に吸収され遮断されるようにするために、ベース部４００の厚さＴは、２００μｍ〜２１０μｍの範囲で形成される。
【００４１】
図４Ｂは、本発明に係る外光遮断パターンの平面形状についての例示である。図示のように、パターン部４５０は、前面側の誘電体層又は前面基板４３０にストライプのように形成することができる。
【００４２】
図４Ｂに示すように、パターン部４５０は、並列な複数の列として形成可能である。また、モアレ現象を防止するために、並列形成のパターン部４５０は、ベース部４４０の長さ方向に対して所定の角度で斜めに配列したものとすることもできる。
【００４３】
図２及び図３は、パターン部２４０，３１０の底面を背面に向けた状態を示したものである。しかしながら、パターン部２４０，３１０の底面を前面（ユーザー）に向け上下逆さまにすることもできる。この場合の外光は、上述のパターン部２４０，３１０の底面により吸収され、これによっても外光遮断は従来に比べれば向上する。外光遮断パターンを形成した層の開口率を向上させるために、一対の隣接したパターン間の幅を広くとるようにする。
【００４４】
図５Ａ〜図５Ｆは、本発明に係る外光遮断パターンの断面形状について各種の例を示した断面図である。
【００４５】
図５Ａにおいて、ベース部５００に形成されるパターン部５１０は、三角形状とされ、好ましくは、二等辺三角形である。そのパターン部５１０の底面の幅Ｐ１は、５μｍ〜１５０μｍの範囲で形成することができ、この場合、パネルから発生する光が円滑に観察者側へ放出され得る開口率を確保することができる。パターン部５１０の高さｈは、３０μｍ〜２５０μｍの範囲で形成され、底面の幅Ｐ１との関係で外光の吸収及びパネル光の反射の両立に最適な傾斜面を形成することができる。
【００４６】
図５Ｂにおいて、パターン部５２０は、左右非対称形状（不等辺三角形）とされている。すなわち、パターン部５２０の二つの傾斜面の面積が互いに異なるか、又は二つの傾斜面のそれぞれが底面となす角が互いに異なり得る。
【００４７】
図５Ｃにおいて、パターン部５３０は、台形形状とされ、この場合、上底の幅Ｐ２が下底の幅Ｐ１より小さく形成される。当該パターン部５３０の上底の幅Ｐ２は、１３０μｍ以下であることが好ましく、これにより、下底の幅Ｐ１との関係で外光の吸収及びパネル光の反射の両立に最適な傾斜面を形成することができる。
【００４８】
図５Ｄ〜図５Ｆに示すように、図５Ａ〜図５Ｃに示す各外光遮断パターンの断面形状において、それぞれ左右の傾斜面が曲面をなすようにすることもできる。また、パターン部の底面や上底、下底などが曲面を有するようにすることもできる。あるいは、熱又は圧力などの衝撃によるパターン部のベース部からの剥離を防止するために、パターン部の隅部分が所定の曲率を有するように角を丸めたり面取りすることもできる。
【００４９】
上記のように構成される本発明のプラズマディスプレイパネルは、前面基板又はその誘電体層に外光遮断のためのパターン部を形成することによって、ブラック映像をよりリアルに表現することができ、明室コントラストを改善することができる。
【００５０】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００５１】
【図１】本発明に係るプラズマディスプレイパネルの構造例を示す斜視図。
【図２】本発明に係る外光遮断のパターン部を形成したプラズマディスプレイパネルの第１の実施形態を示す断面図。
【図３】本発明に係る外光遮断のパターン部を形成したプラズマディスプレイパネルの第２の実施形態を示す断面図。
【図４Ａ】本発明に係る外光遮断のパターン部の構造例を示す断面図。
【図４Ｂ】本発明に係る外光遮断のパターン部の平面形状例を示す図。
【図５Ａ】本発明に係る外光遮断のパターン部の断面形状例を示す断面図。
【図５Ｂ】本発明に係る外光遮断のパターン部の断面形状例を示す断面図。
【図５Ｃ】本発明に係る外光遮断のパターン部の断面形状例を示す断面図。
【図５Ｄ】本発明に係る外光遮断のパターン部の断面形状例を示す断面図。
【図５Ｅ】本発明に係る外光遮断のパターン部の断面形状例を示す断面図。
【図５Ｆ】本発明に係る外光遮断のパターン部の断面形状例を示す断面図。
【図１】
2008047538.tif 000003
【図２】
2008047538.tif 000004
【図３】
2008047538.tif 000005
【図４Ａ】
2008047538.tif 000006
【図４Ｂ】
2008047538.tif 000007
【図５Ａ】
2008047538.tif 000008
【図５Ｂ】
2008047538.tif 000009
【図５Ｃ】
2008047538.tif 000010
【図５Ｄ】
2008047538.tif 000011
【図５Ｅ】
2008047538.tif 000012
【図５Ｆ】
2008047538.tif 000013